(57)【要約】【課題】一箇所の注入口から断熱材原液の円滑な充填作業が行なえるようにする。【解決手段】外箱３及び内箱５とにより形成された内部空間内に向かって前記内箱５から突出した仕切部材１１を取付ける仕切部材取付部２１に、内部空間内に充填される注入口２５からの断熱材原液を直接受け止め上方及び下方へ向けて誘導する断熱材誘導受面２７を設けるようにする。【選択図】図１
2008075944.tif 000002
【特許請求の範囲】
【請求項１】
外箱と、外箱の内側に配置され庫内を構成する内箱と、外箱及び内箱とにより形成された内部空間内に向かって前記内箱から突出した左右一対の仕切部材取付部と、その左右一対の仕切部材取付部にそれぞれ両端が取付けられた仕切部材とを有し、
前記内部空間内に突出した仕切部材取付部は、内部空間内に充填される注入口からの断熱材原液を直接受け止め上方及び下方へ向けて誘導する断熱材誘導受面を備えていることを特徴とする冷蔵庫。
【請求項２】
前記断熱材誘導受面は、仕切部材取付部と別部材によって形成されると共に外箱と内箱をつなぐ合わせ目に向かって傾斜する傾斜面を備えた組み合わせ形状となっていることを特徴とする請求項１記載の冷蔵庫。
【請求項３】
前記内部空間内に設けられる開閉扉のドアヒンジ用の取付け金具は、
前方内壁面と接触し合う板状の取付部とその板状の取付部の両端から後方へ屈曲した一対の屈曲部とにより断面コ字状に形成され、その一対の屈曲部に断熱材原液充填時の流れ方向に向かって貫通した切り起こし開放口が設けられていることを特徴とする請求項１記載の冷蔵庫。
【発明の詳細な説明】
【技術分野】
【０００１】
本発明は、注入時に流動性の性質を備え、一定時間経過後に発泡、硬化する断熱材の充填に適した冷蔵庫に関する。
【背景技術】
【０００２】
現在、冷蔵庫の断熱材としては一般にウレタンフォームが使用されている。ウレタンフォームは充填時に流動性の性状を備え、一定時間経過後に発泡、硬化することで、外箱と内箱の間に断熱層が作られるようになっている。
【０００３】
ウレタンフォームの原液は、例えば、特許文献１に示すように冷蔵庫本体を前方へ倒して伏せた状態とした裏面側の孔からウレタン注入機によって内部へ注入され充填されるようになっている。
【特許文献１】特開２０００−１９３３６３号公報
【発明の開示】
【発明が解決しようとする課題】
【０００４】
ウレタン注入機によって外箱と内箱の間に断熱材原液を充填する時に全領域にわたって隙間なく充填されることが望ましいが、庫内を構成する内箱は、例えば、棚取付用のガイド部、仕切部材取付け用の取付部等の凹凸を有している。
【０００５】
仕切部材取付用の取付部は、場所で示すと図３、Ａ部の内側にあたる部分で、その内側の部分を拡大して示したのが図６である。
【０００６】
仕切部材取付け用の取付部１０１は、外箱１０３と内箱１０５とで形成された内部空間内で前方となる出し入れ口１０７側に大きくＬ形状に突出する配置となるため、図示の如く前方へ倒して伏せた状態として外箱１０３に設けられた注入口１０９から矢印の如く断熱材原液を充填する時に、図面下側には円滑に流れるようになる。反面、図面上側には前記取付部１０１が壁となってその壁を越えるまで流れが塞ぎ止められ上方への円滑な充填が得られにくい面があった。
【０００７】
このために、時として取付部上側周辺部位に隙間が発生する等の不具合をかかえる等の問題を有する。
【０００８】
この場合、注入口を多数設けてそこから充填すればよいではないかという考えも成り立つが、各注入口からウレタン注入機によって同時に充填するためには専用の充填治具が必要となる等コストの面、あるいは各注入口の後処理の面でそれぞれ望ましくない。
【０００９】
そこで、本発明にあっては一箇所の注入口から、断熱材原液の円滑な充填作業を可能とした冷蔵庫を提供することを目的としている。
【課題を解決するための手段】
【００１０】
前記目的を達成するために本発明にあっては、外箱と、外箱の内側に配置され庫内を構成する内箱と、外箱及び内箱とにより形成された内部空間内に向かって前記内箱から突出した左右一対の仕切部材取付部と、その左右一対の仕切部材取付部にそれぞれ両端が取付けられた仕切部材とを有し、
前記内部空間内に突出した仕切部材取付部は、内部空間内に充填される注入口からの断熱材原液を直接受け止め上方及び下方へ向けて誘導する断熱材誘導受面を備えていることを特徴とする。
【発明の効果】
【００１１】
本発明によれば、注入口から充填される断熱材原液を断熱材誘導受面によって直接受け止めた後、上方及び下方へ向けて誘導することができる。このため、一箇所の注入口であっても断熱材原液を円滑に無理なく充填することができるようになる。
【発明を実施するための最良の形態】
【００１２】
本発明にあっては第１に、前記断熱材誘導受面を、仕切部材取付部と別部材によって形成すると共に外箱と内箱をつなぐ合わせ目に向かって傾斜する傾斜面を備えた組み合わせ形状とすることで、仕切部材取付部の加工成形を容易にすることと、傾斜面に沿って充填剤を充填することで外箱と内箱の合わせ目へのシール材の充填作用が容易に行えるようにする。
【００１３】
第２に、前記内部空間内に設けられる開閉扉のドアヒンジ用の取付け金具を、前方内壁面と接触し合う板状の取付部とその板状の取付部の両端から後方へ屈曲した一対の屈曲部とにより断面コ字状に形成し、その一対の屈曲部に断熱材原液充填時の流れ方向に向かって貫通した切り起こし開放口を設けることで、断熱材原液の流れを阻害することなく、しかも、断熱材の内部に埋設される一対の屈曲部及び切り起こし片によるアンカー機能によって、開閉扉の負荷が働く取付け金具の強固な取付け状態が長期にわたり安定して得られるようにする。
【実施例】
【００１４】
以下、図１乃至図５の図面を参照しながら本発明の実施形態について具体的に説明する。
【００１５】
図１は本発明にかかる要部の仕切部材取付部分とドアヒンジ用の取付け金具部分を示した概要説明図で場所は図３のＡ部とＢ部に該当する。図２は仕切部材取付部分とドアヒンジ用の取付け金具部分を斜め背面からみた概要説明図、図３は冷蔵庫本体を示した概要説明図をそれぞれ示している。
【００１６】
冷蔵庫本体１は図２、図３で示す如く外箱３と内箱５とで構成され、外箱３は天井パネル３ａ，背面パネル３ｂ、両側面パネル３ｃとからなる形状となっている。
【００１７】
内箱５は合成樹脂の材質で一体成形され、天井部５ａ，底面部５ｂ，背面部５ｃ，両側面部５ｄとからなり、前方が大きく開放された形状となっている。外箱３と内箱５の前方合わせ目９は内側からシール材によってシールされる一方、内部空間内には断熱材（図示していない）が全領域にわたって充填されている。
【００１８】
断熱材は充填時は流動性で一定時間経過後に発泡，硬化するようウレタンフォーム等が用いられている。
【００１９】
内箱５には、両サイドに棚板取付け用の凹凸に形成された棚板取付部５ｅと後述する仕切部材取付部２１が設けられる一方、仕切部材１１と仕切壁１３がそれぞれ後付けによって取付けられている。したがって、仕切部材１１と仕切壁１３とによって第１、第２、第３の庫内１５、１７、１９が構成され、第３の庫内１９は仕切壁１３によって独立した庫内に作られている。
【００２０】
仕切部材１１は角柱状に形成され両端は、内箱５から内部空間内にＬ形状に突出した仕切部材取付部２１に取付けねじ２３によって固定支持されている。
【００２１】
仕切部材取付部２１は、図１に示すように外箱３の背面パネル３ｂに設けられた注入口２５からの断熱材原液を直接受け止め矢印イの如く上方及び下方へ向けて誘導する断熱材誘導受面２７を備えている。
【００２２】
断熱材誘導受面２７は、仕切部材取付部２１と一体の形状としてもよいが、この実施形態では別部材で作られたガイド部材２９によって平坦面に作られている。
【００２３】
ガイド部材２９は、図４に示す如くＬ形状の仕切部材取付部２１に嵌合セットする嵌合穴３３を有し、その嵌合穴３３を強制的に挿入することで装着可能となっていて、前記断熱材誘導受面２７の外に、図１に示すように外箱３と内箱５をつなぐ合せ目９に向かって傾斜面３１を備えている。これにより、傾斜面３１を利用することで、例えば、矢印ロ方向からガイド部材２９の下方となる合せ目９をシール用のガンによってシールする際にそのシール作業が無理なく行えるようになっている。
【００２４】
一方、仕切壁１３の一方の側部には図５に示す如く開閉扉のドアヒンジ３７を取付けるための取付け金具３９が設けられている。
【００２５】
取付け金具３９は、図１に示す如く前方内壁面と接触し合う板状の取付部３９ａとその板状の取付部３９ａの両端から後方へ９０度屈曲した一対の屈曲部３９ｂとにより断面コ字状に形成され、その一対の屈曲部３９ｂに断熱材原液充填時の流れ方向（矢印ハ）に向かって貫通した切り起こし開放口４１が設けられた形状となっている。
【００２６】
これにより、断熱材の内部に埋設される一対の屈曲部３９ｂとその屈曲部３９ｂと方向が異なる切り起こし開放口４１の切り起こし片４１ａとによって確実で強固なアンカー機能が確保されるようになっている。
【００２７】
このように構成された冷蔵庫によれば、図１に示すように前方に倒して伏せた姿勢の冷蔵庫本体１に対して注入口２５から断熱材原液を矢印イの如く充填すれば断熱材原液は断熱材誘導受面２７によって上方及び下方へ向け円滑に流れるようになる。また、取付け金具３９に達した断熱材原液は切り起こし開放口４１によって支障なく円滑に流れるようになり、迅速な断熱材の充填作業が行なえる。
【００２８】
この時、開閉扉の開閉時に負荷が作用する取付け金具３９は断熱材の内部に埋設される一対の屈曲部３９ｂ及び切り起こし片４１ａが強固なアンカー部材として働く結果、確実な取付け状態が長期間にわたり安定して得られるようになる。
【図面の簡単な説明】
【００２９】
【図１】本発明にかかる要部の仕切部材取付部分とドアヒンジ用の取付け金具部分を示した概要説明図。
【図２】仕切部材取付部分とドアヒンジ用の取付け金具部分を示した斜め背面からみた概要説明図。
【図３】冷蔵庫本体を示した概要説明図。
【図４】ガイド部材の一方の概要斜視図。
【図５】図３、Ｂ部の拡大説明図。
【図６】従来の仕切部材取付部を示した概要説明図。
【符号の説明】
【００３０】
１    冷蔵庫本体
３    外箱
５    内箱
９    合せ目
１１    仕切部材
２１    仕切部材取付部
２５    注入口
２７    断熱材誘導受面
２９    ガイド部材
３１    傾斜面
３９    取付け金具
３９ａ    取付部
３９ｂ    屈曲部
４１    切り起こし開放口
４１ｂ    切り起こし片
【図１】
2008075944.tif 000003
【図２】
2008075944.tif 000004
【図３】
2008075944.tif 000005
【図４】
2008075944.tif 000006
【図５】
2008075944.tif 000007
【図６】
2008075944.tif 000008